(57)【要約】【課題】通信サービスを停止させることなく、通信サービス中に、通信サービス用信号を自動的に補正すること。【解決手段】光ファイバ伝送路によって相手側の光通信装置に接続される光通信装置であって、光ファイバ伝送路のＢＥＲ測定を通信サービス中に実行し、ＢＥＲ測定の測定結果から補正データを生成する第１のユニット１２と、補正データに基づいて光ファイバ伝送路の回線品質を通信サービス中に最適化する第２のユニット６とを備えている光通信装置。【選択図】図１
2012080157.tif 000002
【特許請求の範囲】
【請求項１】
光ファイバ伝送路によって相手側の光通信装置に接続される光通信装置であって、
前記光ファイバ伝送路のＢＥＲ測定を通信サービス中に実行し、前記ＢＥＲ測定の測定結果から補正データを生成する第１のユニットと、前記補正データに基づいて光ファイバ伝送路の回線品質を通信サービス中に最適化する第２のユニットとを備えていることを特徴とする光通信装置。
【請求項２】
前記第１のユニットは、ＢＥＲ測定用信号を生成するＢＥＲ測定用信号生成手段と、前記相手側の光通信装置に向けてＢＥＲ測定用信号を送信するＢＥＲ測定データ送信手段と、前記相手側の光通信装置で折り返されたＢＥＲ測定用信号を用いてＢＥＲ測定を実行するＢＥＲ測定手段と、前記ＢＥＲ測定の測定結果から補正データを生成する補正データ生成手段とを有し、
前記第２のユニットは、前記相手側の光通信装置に向けて通信サービス用信号を送信する通信サービス用信号送信手段と、前記通信サービス用信号の光強度を制御する第１の光変調手段と、前記補正データに基づいて前記第１の光変調手段を制御する光変調制御手段とを有していることを特徴とする請求項１に記載の光通信装置。
【請求項３】
前記補正データ生成手段は、前記ＢＥＲ測定の測定結果が予め設定された閾値より高い場合に、前記補正データを生成することを特徴とする請求項２に記載の光通信装置。
【請求項４】
前記第１のユニットは、前記ＢＥＲ測定用信号の光強度を制御する第２の光変調手段を更に有し、
前記光変調制御手段は、前記通信サービス用信号及びＢＥＲ測定用信号の光強度が同じになるように、前記補正データに基づいて前記第１の光変調手段及び第２の光変調手段を制御することを特徴とする請求項１乃至請求項３のいずれか１項に記載の光通信装置。
【請求項５】
前記第２のユニットは、前記相手側の光通信装置に向けて送信される通信サービス用信号及びＢＥＲ測定用信号を多重する光スイッチ手段を更に有し、
前記通信サービス用信号及びＢＥＲ測定用信号は、それぞれ異なる波長を有していることを特徴とする請求項２乃至請求項４のいずれか１項に記載の光通信装置。
【請求項６】
前記光スイッチ手段は、前記相手側の光通信装置に向けて送信される通信サービス用信号及びＢＥＲ測定用信号を多重するとともに、前記相手側の光通信装置から送信された通信サービス用信号及びＢＥＲ測定用信号を波長により識別し、前記ＢＥＲ測定用信号のみを前記ＢＥＲ測定手段に送信することを特徴とする請求項５に記載の光通信装置。
【請求項７】
請求項１乃至請求項６のいずれか１項に記載の第１の光通信装置と、前記第１の光通信装置に接続される第２の光通信装置と、前記第１の光通信装置及び第２の光通信装置の間を接続する光ファイバ伝送路とを備えていることを特徴とする光通信システム。
【請求項８】
前記光ファイバ伝送路は、前記第１の光通信装置から送信されるＢＥＲ測定用信号を伝送する第１の光ファイバと、前記第２の光通信装置で折り返されたＢＥＲ測定用信号を伝送する第２の光ファイバとを有していることを特徴とする請求項７に記載の光通信システム。
【請求項９】
前記第２の光通信装置は、前記第１の光通信装置から送信された通信サービス用信号及びＢＥＲ測定用信号を波長により識別し、前記ＢＥＲ測定用信号のみを前記第１の光通信装置に向けて折り返す第２の光スイッチ手段を有する第３のユニットを備えていることを特徴とする請求項７または請求項８に記載の光通信システム。
【請求項１０】
第１の光通信装置及び第２の光通信装置の間を接続する光ファイバ伝送路の回線品質を最適化する方法であって、
前記第１の光通信装置から光ファイバ伝送路を通して送信されて前記第２の光通信装置により折り返されたＢＥＲ測定用信号に基づいて、前記第１の光通信装置側で、前記光ファイバ伝送路のＢＥＲ測定を通信サービス中に実行し、前記第１の光通信装置側で、前記ＢＥＲ測定の測定結果から補正データを生成し、前記第１の光通信装置側で、前記補正データに基づいて光ファイバ伝送路の回線品質を通信サービス中に最適化することを特徴とする方法。
【発明の詳細な説明】
【技術分野】
【０００１】
本発明は、通信サービス中に回線品質を監視して回線品質を自動的に補正する機能を備えた光通信装置、光通信システム、及び方法に関する。
【背景技術】
【０００２】
従来、電気信号を光信号に変換して送信する親局装置と、光信号を受信し電気信号に変換する子局装置との間を光ファイバを介して接続して構成され、この光ファイバの回線の品質確認を行う光信号伝送システムの回線品質確認装置において、前記親局装置に光ファイバ回線を通常通信モードからＢＥＲ測定モードに切り替えてＢＥＲの測定を行う指令を与える保守端末装置を常時接続し、この保守端末装置から出力したＢＥＲ測定結果に基づいて回線品質確認を行うようにしたことを特徴とする光信号伝送システムの回線品質確認装置が知られている（例えば、特許文献１参照。）。
【先行技術文献】
【特許文献】
【０００３】
【特許文献１】特開２００８−１３５９０２号公報
【発明の概要】
【発明が解決しようとする課題】
【０００４】
ところが、従来の回線品質確認装置は、光ファイバの回線品質を容易に把握できるものの、通常の通信サービス中に光ファイバの回線品質を自動的に補正し、光ファイバの回線品質を最適化するには至っていない。
【０００５】
そこで、本発明は、従来の問題を解決するものであって、すなわち、本発明の目的は、通信サービスを停止させることなく、通信サービス中に、通信サービス用信号を自動的に補正することにある。
さらに、２つ目の目的は、保守監視者が現地に赴くこともなく、最適な回線品質を提供することにある。
【課題を解決するための手段】
【０００６】
本発明の光通信装置は、光ファイバ伝送路によって相手側の光通信装置に接続される光通信装置であって、前記光ファイバ伝送路のＢＥＲ測定を通信サービス中に実行し、前記ＢＥＲ測定の測定結果から補正データを生成する第１のユニットと、前記補正データに基づいて光ファイバ伝送路の回線品質を通信サービス中に最適化する第２のユニットとを備えていることにより、前述した課題を解決したものである。
【０００７】
本発明の通信システムは、前述した特徴を備えた第１の光通信装置と、前記第１の光通信装置に接続される第２の光通信装置と、前記第１の光通信装置及び第２の光通信装置の間を接続する光ファイバ伝送路とを備えていることにより、前述した課題を解決したものである。
【０００８】
本発明の方法は、第１の光通信装置及び第２の光通信装置の間を接続する光ファイバ伝送路の回線品質を最適化する方法であって、前記第１の光通信装置から光ファイバ伝送路を通して送信されて前記第２の光通信装置により折り返されたＢＥＲ測定用信号に基づいて、前記第１の光通信装置側で、前記光ファイバ伝送路のＢＥＲ測定を通信サービス中に実行し、前記第１の光通信装置側で、前記ＢＥＲ測定の測定結果から補正データを生成し、前記第１の光通信装置側で、前記補正データに基づいて光ファイバ伝送路の回線品質を通信サービス中に最適化することにより、前述した課題を解決したものである。
【発明の効果】
【０００９】
本発明では、ＢＥＲ測定の測定結果から補正データを生成し、その補正データにより光信号を自動で補正することが可能となるため、通信サービスの停止や保守監視者の保守作業を必要とすることなく、最適化された回線品質を常に維持できる。
【図面の簡単な説明】
【００１０】
【図１】本発明の一実施例である光通信システムを概略的に示すブロック図である。
【図２】図１に示す光通信システムにおける処理動作を示すフローチャート図である。
【図３】本発明の変形例である光通信システムを概略的に示すブロック図である。
【発明を実施するための形態】
【００１１】
以下、本発明の光通信システムを図面に基づいて説明する。
【実施例】
【００１２】
本発明の一実施例である光通信システムは、図１に示すように、第１の光通信装置としての親局装置１３と、第２の光通信装置（相手側の光通信装置）としての子局装置１７と、親局装置１３と子局装置１７との間に敷設され、第１の光ファイバ１８及び第２の光ファイバ１９から構成される光ファイバ伝送路とを備えている。
【００１３】
親局装置１３は、図１に示すように、第１のユニットとしての保守監視部１２と、第２のユニットとしての光信号制御部６とを備えている。
【００１４】
光信号制御部６は、図１に示すように、Ｏ／Ｅ変換部１と、光変調部２、４と、光スイッチ部３と、光変調部制御部５とを備えている。
【００１５】
Ｏ／Ｅ変換部１は、通常のＯ／Ｅ変換器等により構成される通信サービス用信号送信手段であり、電気信号と光信号とを相互に変換する。具体的には、Ｏ／Ｅ変換部１は、親局装置１３に接続された上位装置から受信した下りデータとしての通信サービス用電気信号に電気−光変換を施し、下りデータとしての通信サービス用光信号を子局装置１７に向けて送信するとともに、子局装置１７から受信した上りデータとしての通信サービス用光信号に光−電気変換を施し、上りデータとしての通信サービス用電気信号を上位装置に向けて送信する。
光変調部２は、通常の光変調器等により構成される第１の光変調手段であり、下りデータとしての通信サービス用光信号の強度を電気的手段により制御する。
光スイッチ部３は、光スイッチ手段であり、波長分波器として光信号を多重するとともに、波長スイッチングとしての役割を担っている。具体的には、光スイッチ部３は、下りデータとしての通信サービス用光信号とＢＥＲ測定用光信号とを多重するとともに、上りデータとしての通信サービス用光信号及びＢＥＲ測定用光信号を波長により識別し、上りデータとしての通信サービス用光信号をＯ／Ｅ変換部１へ送信し、ＢＥＲ測定用光信号をＯ／Ｅ変換部７へ送信する。
光変調部４は、通常の光変調器等により構成される第２の光変調手段であり、ＢＥＲ測定用光信号の強度を電気的手段により制御する。
なお、光変調部４を制御する理由は、通信サービス用光信号とＢＥＲ測定用光信号の強度を等しくするためである。
光変調部制御部５は、光変調制御手段であり、光信号を補正するためのデータを格納し、この補正データをもとに光変調部２、４を制御する。
以上のように、Ｏ／Ｅ変換部１で電気信号から光信号に変換された下りデータとしての通信サービス用信号を光変調部２にて光信号の強度を最適化することで、通信サービス用光信号を補正する。
【００１６】
保守監視部１２は、図１に示すように、Ｏ／Ｅ変換部７と、ＢＥＲ測定部８と、光信号品質監視部９と、ＢＥＲ測定用信号生成部１０と、補正データ生成部１１とを備えている。
【００１７】
Ｏ／Ｅ変換部７は、通常のＯ／Ｅ変換器等により構成されるＢＥＲ測定データ送信手段であり、子局装置１７へ送信するＢＥＲ測定用電気信号を光信号に変換し、子局装置１７に向けてＢＥＲ測定用光信号を送信するとともに、子局装置１７で折り返されたＢＥＲ測定用光信号を電気信号に変換し、ＢＥＲ測定部８に向けてＢＥＲ測定用電気信号を送信する。
ＢＥＲ測定部８は、ＢＥＲ測定手段であり、子局装置１７により折り返されたＢＥＲ測定用信号に対してＢＥＲ測定を行い、光信号品質監視部９にＢＥＲ測定結果を通知する。
光信号品質監視部９は、ＢＥＲ測定部８から通知されたＢＥＲ測定結果を基に、設定された閾値よりも高い場合（すなわち、ＢＥＲが閾値より高い場合）に、補正データ生成部１１に補正データ生成命令を通知する。
ＢＥＲ測定用信号生成部１０は、ＢＥＲ測定用信号生成手段であり、ＢＥＲ測定用電気信号を生成する。
なお、ＢＥＲ測定用電気信号には、擬似ランダムパターン（ｎ段のＰＮパターン）を用いる。
補正データ生成部１１は、補正データ生成手段であり、補正データを生成し、光信号制御部６の光変調部制御部５へ送信する。
光信号品質監視部９と補正データ生成部１１は、補正データ生成手段として機能している。
【００１８】
光変調部制御部５、ＢＥＲ測定部８、光信号品質監視部９、ＢＥＲ測定用信号生成部１０、補正データ生成部１１は、親局装置１３に搭載されたＣＰＵ、ＲＯＭ、ＲＡＭ等で構成されている。
【００１９】
子局装置１７は、図１に示すように、第３のユニットとしての光信号制御部１６を少なくとも備えている。
【００２０】
光信号制御部１６は、図１に示すように、光スイッチ部１４とＯ／Ｅ変換部１５とを備えている。
【００２１】
光スイッチ部１４は、第２の光スイッチ手段である。具体的には、光スイッチ部１４は、ＢＥＲ測定用光信号の波長を認識すると、ＢＥＲ測定用光信号のみをループバックさせ、光ファイバ１９を通して親局装置１３の光スイッチ部３へ送信し、下りデータとしての通信サービス用光信号の波長を認識すると、通信サービス用光信号をループバックさせることなくＯ／Ｅ変換部１５に送信し、また、上りデータとしての通信サービス用光信号の波長を認識すると、親局装置１３に向けて送信する。
Ｏ／Ｅ変換部１５は、通常のＯ／Ｅ変換器等により構成され、子局装置１７に接続された下位装置から受信した上りデータとしての通信サービス用電気信号に電気−光変換を施し、上りデータとしての通信サービス用光信号を光スイッチ部１４に向けて送信するとともに、光スイッチ部１４から受信した下りデータとしての通信サービス用光信号に光−電気変換を施し、下位装置に向けて送信する。
【００２２】
親局装置１３から送信されるＢＥＲ測定用光信号と子局装置１７にてループバックされて送信されるＢＥＲ測定用光信号との衝突を回避するために、親局装置１３と子局装置１７との間には、２本の光ファイバ１８、１９が敷設されている。
なお、下りデータとしての通信サービス用光信号と上りデータとしての通信サービス用光信号は、それぞれ異なる波長を有し、これら通信サービス用光信号は、光ファイバ１８により伝送される。
なお、上りデータとしての通信サービス用光信号とＢＥＲ測定用光信号の波長を異ならせ、上りデータとしての通信サービス用光信号及びＢＥＲ測定用光信号を光ファイバ１９により伝送しても何ら構わない。
【００２３】
本実施例の光ネットワーク自動補正装置の処理動作Ｓ１〜Ｓ７を図１及び図２を用いて以下に説明する。
【００２４】
図２に示すステップＳ１について以下に説明する。
まず、通常の通信サービス中に、親局装置１３のＢＥＲ測定用信号生成部１０により、ＢＥＲ測定用電気信号（擬似ランダムパターン信号）を生成し、ＢＥＲ測定用電気信号をＯ／Ｅ変換部７に送信する。
なお、予め、ＢＥＲ測定用信号生成部１０にて、ＢＥＲ測定時間、ＢＥＲ測定周期等を設定しておく。
次に、ＢＥＲ測定用電気信号をＯ／Ｅ変換部７で受信した後、ＢＥＲ測定用電気信号をＢＥＲ測定用の波長の光信号に変換する。
次に、ＢＥＲ測定用光信号を光信号制御部６の光変調部４にて制御する。
ここで、光変調部４は、光変調部制御部５により光変調部２と同条件（同じ光強度）で制御される。
次に、光スイッチ部３で波長スイッチングを実施し、通信サービス用光信号とＢＥＲ測定用光信号とを多重させ、子局装置１７へ送信する。
なお、ＢＥＲ測定用光信号の波長と通信サービス用光信号の波長とを異ならせることにより、相互に影響を及ぼし合うことを回避している。
【００２５】
図２に示すステップＳ２について以下に説明する。
次に、子局装置１７の光信号制御部１６の光スイッチ部１４は、光ファイバ１８を通して送信された光信号（ＢＥＲ測定用信号と通信サービス用信号とが多重された光信号）を受信し、ＢＥＲ測定用光信号の波長を認識すると、ＢＥＲ測定用光信号のみを親局装置１３に向けて光ファイバ１９を用いてループバックさせ、また、通信サービス用光信号の波長を認識すると、通信サービス用光信号をＯ／Ｅ変換部１５へ送信する。
ここで、子局装置１７にて、上りのデータとしての通信サービス用電気信号を受信した際には、Ｏ／Ｅ変換部１５にて電気−光変換を実施した後に、光スイッチ部１４から親局装置１３へと送信する。
【００２６】
図２に示すステップＳ３について以下に説明する。
次に、親局装置１３の光信号制御部６の光スイッチ部３は、ＢＥＲ測定用光信号の波長を認識すると、ＢＥＲ測定用光信号をスイッチングさせてＯ／Ｅ変換部７へ送信し、また、通信サービス用光信号の波長と認識すると、通信サービス用の光信号をＯ／Ｅ変換部１へ送信する。
ここで、Ｏ／Ｅ変換部１へ送信された通信サービス用光信号は、Ｏ／Ｅ変換部１にて光−電気変換を施され、上りデータとして上位装置に送信される。
次に、Ｏ／Ｅ変換部７へ送信されたＢＥＲ測定用光信号は、Ｏ／Ｅ変換部７にて電気信号へ変換された後、ＢＥＲ測定部８へ送信される。
次に、ＢＥＲ測定部８は、ＢＥＲ測定用電気信号（擬似ランダムパターン信号）を受信するとＢＥＲ測定を開始する。
ここで、ＢＥＲ測定部８は、受信したＢＥＲ測定用電気信号（擬似ランダムパターン信号）と送信したＢＥＲ測定用電気信号（擬似ランダムパターン信号）等とを比較し、データ誤りがないかどうかを確認する。
【００２７】
図２に示すステップＳ４について以下に説明する。
次に、ＢＥＲ測定部８は、ＢＥＲ測定結果を光信号品質監視部９に送信する。
次に、光信号品質監視部９は、ＢＥＲ測定結果と予め設定された閾値とを比較し、ＢＥＲ測定結果が閾値よりも高い場合に、補正データ生成部１１に対して補正データを光信号制御部６の光変調部制御部５に送信するように命令する。
ここで、補正データとは、光変調部２、４を制御するためのデータである。
また、閾値は、対象となる光ネットワークシステムにおいて要求されている値とする。
【００２８】
図２に示すステップＳ５について以下に説明する。
次に、補正データ生成部１１は、光信号品質監視部９からの命令を受け、補正データを生成する。
この補正データは、補正データ生成部１１にて、光信号制御部６から送信された光の出力とＢＥＲ測定結果の関係からその都度算出され、補正データ生成部１１に記憶される。
【００２９】
図２に示すステップＳ６について以下に説明する。
次に、補正データ生成部１１は、実際のＢＥＲ測定結果と比較し記憶してある補正データを光信号制御部６の光変調部制御部５に送信する。
この補正データは、光変調部制御部５に記憶される。
【００３０】
図２に示すステップＳ７について以下に説明する。
次に、光変調部制御部５は、受信した補正データを基に、光変調部２、４を制御し光信号を補正する。
適切な補正データを生成するために通信サービス用光信号とＢＥＲ測定用光信号の条件を同じにすること、すなわち、同じ光強度にすることが望ましく、そのため、各光変調部２、４は同条件で制御される。
【００３１】
そして、上記のＢＥＲ測定及び回線品質の最適化は、設定された周期ごとに実施される（ステップＳ８）。
上記のＢＥＲ測定及び回線品質の最適化を、非定期で実施しても何ら構わない。
また、上記ステップ１〜７における制御信号に関しては、電気信号でやり取りをする。
【００３２】
上記の様にシステムを構成することにより、自動的に通信サービス用光信号を補正することが可能となり、ネットワーク最適化に寄与できる。
また、通信サービス用光信号とＢＥＲ測定用光信号との間で、波長を異ならせることにより、ＢＥＲ測定用光信号が通信サービス用光信号に影響を及ぼすことなく、ＢＥＲ測定を実施できる。
【００３３】
上記の実施例においては、図１に示すように、親局装置に保守監視部及び光信号制御部を設けるものとして説明したが、図３に示すように、子局装置に保守監視部及び光信号制御部を設けても何ら構わない。
また、図示はしないが、親局装置及び子局装置の両方に保守監視部及び光信号制御部を設けても何ら構わない。
【符号の説明】
【００３４】
１  ・・・  Ｏ／Ｅ変換部
２  ・・・  光変調部
３  ・・・  光スイッチ部
４  ・・・  光変調部
５  ・・・  光変調部制御部
６  ・・・  光信号制御部
７  ・・・  Ｏ／Ｅ変換部
８  ・・・  ＢＥＲ測定部
９  ・・・  光信号品質監視部
１０  ・・・  ＢＥＲ測定用信号生成部
１１  ・・・  補正データ生成部
１２  ・・・  保守監視部
１３、１３ａ  ・・・  親局装置
１４  ・・・  光スイッチ部
１５  ・・・  Ｏ／Ｅ変換部
１６  ・・・  光信号制御部
１７、１７ａ  ・・・  子局装置
１８  ・・・  光ファイバ
１９  ・・・  光ファイバ
【図１】
2012080157.tif 000003
【図２】
2012080157.tif 000004
【図３】
2012080157.tif 000005